(57)【特許請求の範囲】
【請求項１】
長尺な基体に、アングル固定金具を介して屋根上に固定された雪止アングルに対し取付固定し得る取付部を設け、この基体に、融雪用配管を係止し得る配管係止部を、この基体の長さ方向に間隔を置いて複数並設状態に設け、前記基体は、少なくとも左右一対の長尺なフレーム杆部を備えた構成とし、この左右のフレーム杆部間に前記取付部を架設すると共に、左右のフレーム杆部間に複数の前記配管係止部を間隔を置いて並設状態に架設したことを特徴とする融雪用配管設置具。
【請求項２】
前記屋根に前記アングル固定金具を介して複数固定される前記雪止アングルを利用して屋根上の数箇所に前記基体を固定し、この数箇所に固定した複数の基体の前記配管係止部間に融雪用配管を架設状態に係止し得るように構成したことを特徴とする請求項１記載の融雪用配管設置具。
【請求項３】
取付部材を介して前記取付部に前記雪止アングルを取付固定し得るように構成したことを特徴とする請求項１，２のいずれか１項に記載の融雪用配管設置具。
【請求項４】
略Ｕ字状の係合部に前記融雪用配管を圧入係止し得るように構成した前記配管係止部を採用したことを特徴とする請求項１〜３のいずれか１項に記載の融雪用配管設置具。
【発明の詳細な説明】
【０００１】
【発明の属する技術分野】
本発明は、屋根上に融雪用配管を設置するための融雪用配管設置具に関するものである。
【０００２】
【従来の技術及び発明が解決しようとする課題】
従来から、屋根上の略全面に渡って配管し、この配管に例えばお湯を循環させることでこの配管を解して伝導する湯熱によって屋根上の積雪を融雪する融雪屋根構造が実施されている。
【０００３】
この融雪屋根構造の屋根上への配管方法について説明すると、従来、この融雪用配管設置専用の設置金具などはなく、例えば、屋根上に多数の雪止アングル固定金具を設置して、このアングル固定金具に直接融雪用配管を結束して取り付けたり、Ｕボルトなどを利用して取り付けたりするか、或いはアングル固定金具にアングル材やチャンネル材を取り付けてこのアングル材やチャンネル材に融雪用配管を結束して取り付けたり、Ｕボルトなどを利用して取り付けたりすることで固定している。
【０００４】
しかしながら、融雪用配管を屋根の略全面に敷設するためには、非常に多くのアングル固定金具が必要となり、この多数のアングル固定金具を配管敷設位置に対応させて屋根上に取り付けすることは非常に手間も時間もかかる作業となってしまっていた。
【０００５】
本発明は、このような現状に鑑み、雪止具を介して屋根上に固定された雪止アングルを利用して屋根上に簡易に取り付け固定することができ、且つ取り付け作業が容易で作業時間が著しく短縮することになる簡易構造の画期的な融雪用配管設置具を提供するものである。
【０００６】
【課題を解決するための手段】
添付図面を参照して本発明の要旨を説明する。
【０００７】
長尺な基体１に、アングル固定金具２を介して屋根３上に固定された雪止アングル４に対し取付固定し得る取付部５を設け、この基体１に、融雪用配管６を係止し得る配管係止部７を、この基体１の長さ方向に間隔を置いて複数並設状態に設け、前記基体１は、少なくとも左右一対の長尺なフレーム杆部１Ａを備えた構成とし、この左右のフレーム杆部１Ａ間に前記取付部５を架設すると共に、左右のフレーム杆部１Ａ間に複数の前記配管係止部７を間隔を置いて並設状態に架設したことを特徴とする融雪用配管設置具に係るものである。
【０００８】
また、前記屋根３に前記アングル固定金具２を介して複数固定される前記雪止アングル４を利用して屋根３上の数箇所に前記基体１を固定し、この数箇所に固定した複数の基体１の前記配管係止部７間に融雪用配管６を架設状態に係止し得るように構成したことを特徴とする請求項１記載の融雪用配管設置具に係るものである。
【０００９】
また、取付部材９を介して前記取付部５に前記雪止アングル４を取付固定し得るように構成したことを特徴とする請求項１，２のいずれか１項に記載の融雪用配管設置具に係るものである。
【００１０】
また、略Ｕ字状の係合部７Ａに前記融雪用配管６を圧入係止し得るように構成した前記配管係止部７を採用したことを特徴とする請求項１〜３のいずれか１項に記載の融雪用配管設置具に係るものである。
【００１１】
【発明の実施の形態】
好適と考える本発明の実施の形態（発明をどのように実施するか）を、図面に基づいてその作用効果を示して簡単に説明する。
【００１２】
アングル固定金具２を介して屋根３上に固定された雪止アングル４に対し、取付部５を介して長尺な基体１を取付固定することで、屋根３上に基体１を設置することができる。そして、この基体１上部の配管係止部７に融雪用配管６を係止して屋根３上に融雪用配管６を設置する。
【００１３】
具体的には、屋根３にアングル固定金具２を介して複数固定される雪止アングル４を利用して屋根３上の数箇所に前記基体１を固定し、この数箇所に固定した複数の基体１の前記配管係止部７間に融雪用配管６を架設状態に係止することで、屋根３上の略全面に融雪用配管６を敷設状態に設置することができる。
【００１４】
従って、本発明によれば、従来のように屋根３上に配管位置に対応させて多数のアングル固定金具２を固定せずとも、雪止アングル４を設置固定するために必要なだけのアングル固定金具２を使用するだけで良いし、単にこのアングル固定金具２を介して屋根３上に固定される雪止アングル４に基体１を固定するだけで本設置具の設置作業が終了するため、屋根３上への取付作業が容易で作業時間の短縮化を図ることができることになり、しかもこの基体１には配管係止部７が複数並設状態に設けられているため、配管位置調整も容易にできるし、本設置具一つで一本の融雪用配管６を複数回支持（係止）することも複数の融雪用配管６を支持することも可能で極めて配管支持性能に秀れることとなり、その上本発明は、単に雪止アングル４に取付固定できる取付部５を基体１に設けると共に、この基体１の上部に配管係止部７を複数並設状態に設けるだけで構成できるため、この構成は簡易に設計実現可能な構成であり、量産性に秀れ安価な製品を提供可能となるなど、極めて実用性に秀れた画期的な融雪用配管設置具となる。
【００１５】
また、例えば、前記基体１は、少なくとも左右一対の長尺なフレーム杆部１Ａを備えた構成とし、この左右のフレーム杆部１Ａ間に前記取付部５を架設すると共に、左右のフレーム杆部１Ａ間に複数の前記配管係止部７を間隔を置いて並設状態に架設すれば、この左右一対のフレーム杆部１Ａに対して屋根３上に固定された雪止アングル４に対して固定するに適当な位置に取付部５を簡単に取付固定可能であると共に、配管状況に応じた適当な位置に配管係止部７を取付固定することも容易に可能となるなど、一層実用的となる。
【００１６】
また、例えば、前記屋根３に前記アングル固定金具２を介して複数固定される前記雪止アングル４を利用して屋根３上の数箇所に前記基体１を固定し、この数箇所に固定した複数の基体１の前記配管係止部７間に融雪用配管６を架設状態に係止し得るように構成すれば、確実に且つ安定的に本設置具を介して屋根３上に融雪用配管６を設置することが可能となり、一層実用的となる。
【００１７】
また、例えば、取付部材９を介して前記取付部５に前記雪止アングル４を取付固定し得るように構成すれば、簡単に且つ確実に取付部５に対して雪止アングル４を取付固定でき、一層実用的となる。
【００１８】
また、例えば、略Ｕ字状の係合部７Ａに前記融雪用配管６を圧入係止し得るように構成した前記配管係止部７を採用すれば、単に融雪用配管６を係合部７Ａに圧入係止するだけの所謂ワンタッチ操作で基体１に対し融雪用配管６を固定できるため、従来のようにアングル固定金具やこのアングル固定金具に固定した雪止アングルに対して融雪用配管を結束したりＵボルトを使用して取付する場合と比べると作業性が著しく向上して作業時間が短縮することになり、一層実用的となる。
【００１９】
【実施例】
本発明の具体的な実施例について図面に基づいて説明する。
【００２０】
本実施例の屋根３は横葺屋根３を示し、アングル固定金具２は、横葺屋根材３Ａに巻き込み係止するタイプのものを採用した場合を示している。図中符号２Ｂはアングル固定金具２の巻き込み係止部である。
【００２１】
本実施例は、長尺な基体１に、アングル固定金具２を介して屋根３上に固定された雪止アングル４に対し取付固定し得る取付部５を設け、この基体１に、融雪用配管６を係止し得る配管係止部７を、この基体１の長さ方向に間隔を置いて複数並設状態に設けている。
【００２２】
具体的に説明すると、基体１は、図１に示すように、金属製（例えばステンレス製）の二本のフレーム杆部１Ａを左右に所定間隔を置いて略平行に並設し、この左右のフレーム杆部１Ａの前後端部間に架設部材１Ｂを溶接するなどして架設固定することで長方形枠状に形成している。
【００２３】
また、この左右のフレーム杆部１Ａ間の間隔寸法を、前記アングル固定金具２のアングル固定部２Ａを挿通配設することが可能となる間隔に設定し、前記取付部５に臨設するこの左右のフレーム杆部１Ａ間の間隙部からアングル固定部２Ａを突出させた状態、即ち、アングル固定金具２上に基体１が重なった状態での取付も可能となるように構成している。
【００２４】
尚、基体１の長さは、設置する屋根３に応じて適宜設計変更する。
【００２５】
また、この左右のフレーム杆部１Ａ間の適所（図面では一箇所）に前記取付部５を設けると共に、この取付部５を避けた位置となる左右のフレーム杆部１Ａ間に複数の前記配管係止部７を間隔を置いて並設状態に設けている。
【００２６】
取付部５について説明すると、左右のフレーム杆部１Ａ間に架設し得る横幅の方形板５Ｂに、止着具10としてのボルト10を通すための取付孔５Ａを形成して構成している。
【００２７】
この取付部５の基体１への固定構造は、方形板５Ｂを左右のフレーム杆部１Ａに溶接など止着手段によって架設状態に固定する構成としている。
【００２８】
配管係止部７について説明すると、左右のフレーム杆部１Ａ間に架設し得る横幅の方形取付板７Ｂに、凹状の係合部７Ａを備えたフック部を一体に突設して構成したもので、この取付板７Ｂを介して基体１に固定される（左右のフレーム杆部１Ａ間に架設される）構成としている。また、フック部は、金属製の取付板７Ｂから突設した板状突片を略Ｕ字状に折曲形成して構成しているもので、この略Ｕ字状の係合部７Ａに前記融雪用配管６を圧入係止し得るように構成している。
【００２９】
この配管係止部７の基体１への固定構造は、方形取付板７Ｂを左右のフレーム杆部１Ａに溶接などの止着手段によって架設状態に固定する構成としている。
【００３０】
尚、取付部５の基体１に対する取付位置や取付数は、屋根３上に固定された雪止アングル４に対して取り付けるに適当な位置となるように適宜位置変更する。また、配管係止部７の基体１に対する取付位置や取付数も、融雪用配管６の設置状況に応じた位置となるように適宜位置変更する。
【００３１】
また、雪止アングル４と取付部５との取付固定構造について更に説明すると、本実施例では、取付部材９を介して前記取付部５に前記雪止アングル４を取付固定し得るように構成している。
【００３２】
具体的には、取付部材９は断面Ｌ字状の板材を採用し、前記アングル固定部２Ａに前記雪止アングル４を固定し、この雪止アングル４の後板部（屋根傾斜上方側板部）にこの取付部材９の一側面を当接してボルト10止すると共に、この取付部材９の他側面を前記取付部５の上面に当接してボルト10止することで、取付部材９を介して前記取付部５に前記雪止アングル４を取付固定した構成としている。
【００３３】
尚、本実施例では、取付部材９にボルト10通し用の止着孔（図示省略）を設けると共に、雪止アングル４にもボルト10通し用の止着孔11を設けている。
【００３４】
次に、図２〜図４を用いて本実施例の具体的な使用方法について説明する。
【００３５】
横葺屋根３の所定の位置にアングル固定金具２を固定する。
【００３６】
このアングル固定金具２の上方から基体１を下ろす。
【００３７】
基体１の上方に雪止アングル４を配してアングル固定部２Ａにこの雪止アングル４を固定し、この雪止アングル４と取付部５とを前記取付部材９を介して止着具11によって固定することにより雪止アングル４（アングル固定金具２）を介して基体１を屋根３上に固定する。
【００３８】
具体的には、屋根３傾斜方向に所定間隔を置いて複数本設置される雪止アングル４を利用して基体１を屋根３傾斜方向に沿って配設し、このようにして屋根３傾斜方向と直交する方向に所定間隔を置いて、基体１を複数取付固定する。
【００３９】
このようにして固定した複数の基体１の配管係止部７間に融雪用配管６を架設状態に係止することで、屋根３の略全面に融雪用配管６を敷設状態に設置することができる。
【００４０】
従って、このように構成した本実施例によれば、従来のように必要以上の多数のアングル固定金具２を固定するような手間はなく、しかも融雪用配管６を従来のように結束して固定する作業も不要となるので極めて作業性に秀れる。
【００４１】
また、融雪用配管６は、融雪運転時（加熱時）と休止時の温度差や、夏季の温度上昇により伸び縮みし、これを固定すると、融雪用配管６や屋根材に損傷を与えてしまうことになるが、本実施例では、圧入係止構造のフック（配管係止部７）を採用したため、伸び縮みする融雪用配管６がフックの係合部７Ａ内をスライド移動するので上記のような不具合は生じない。
【００４２】
また、枠状の基体１は、左右のフレーム杆部１Ａだけが屋根３の上面に対して点接触するため、屋根面（屋根材３Ａ）にキズがつきにくく、尚且つゴミなどが溜まりにくいという利点もある。
【００４３】
尚、本実施例では、図２，図３のように、アングル固定金具２の側方に基体１が位置するようにして設置した使用状態を示しているが、取付部に臨設する左右のフレーム杆部１Ａ間の間隙部から、アングル固定金具２のアングル固定部２Ａを突出させてこの左右のフレーム杆部１Ａ間から突出する前記アングル固定部２Ａに前記雪止アングル４を固定し、この雪止アングル４に（取付部材９を介して）取付部５を取付固定することもできる。即ち、アングル固定金具２と基体１とが重なった状態で設置することもできる。
【００４４】
尚、本発明は、本実施例に限られるものではなく、各構成要件の具体的構成は適宜設計し得るものである。
【００４５】
図中符号12は屋根３の棟部に被嵌固定する棟金具である。
【００４６】
【発明の効果】
本発明は上述のように構成したから、従来のように屋根上に配管位置に対応させて多数のアングル固定金具を固定せずとも、雪止アングルを設置固定するために必要なだけのアングル固定金具を使用するだけで良いし、単にこのアングル固定金具を介して屋根上に固定される雪止アングルに基体を固定するだけで本設置具の設置作業が終了するため、屋根上への取付作業が容易で作業時間の短縮化を図ることができることになり、しかもこの基体には配管係止部が複数並設状態に設けられているため、配管位置調整も容易にできるし、本設置具一つで一本の融雪用配管を複数回支持（係止）することも複数の融雪用配管を支持することも可能で極めて配管支持性能に秀れることとなり、その上本発明は、単に雪止アングルに取付固定できる取付部を基体に設けると共に、この基体の上部に配管係止部を複数並設状態に設けるだけで構成できるため、この構成は簡易に設計実現可能な構成であり、量産性に秀れ安価な製品を提供可能となるなど、極めて実用性に秀れた画期的な融雪用配管設置具となる。
【００４７】
また、本発明においては、左右一対のフレーム杆部に対して屋根上に固定された雪止アングルに対して固定するに適当な位置に取付部を簡単に取付固定可能であると共に、配管状況に応じた適当な位置に配管係止部を取付固定することも容易に可能となるなど、一層実用性に秀れた融雪用配管設置具となる。
【００４８】
また、請求項２記載の発明においては、確実に且つ安定的に本設置具を介して屋根上に融雪用配管を設置することが可能となる一層実用性に秀れた融雪用配管設置具となる。
【００４９】
また、請求項３記載の発明においては、簡単に且つ確実に取付部に対して雪止アングルを取付固定できる一層実用性に秀れた融雪用配管設置具となる。
【００５０】
また、請求項４記載の発明においては、単に融雪用配管を配管係止部の係合部に圧入係止するだけの所謂ワンタッチ操作で基体に対し融雪用配管を固定できるため、従来のようにアングル固定金具やこのアングル固定金具に固定した雪止アングルに対して融雪用配管を結束したりＵボルトを使用して取付する場合と比べると作業性が著しく向上して作業時間が短縮することになり、一層実用性に秀れた融雪用配管設置具となる。
【図面の簡単な説明】
【図１】本実施例を示す斜視図である。
【図２】本実施例の使用状態を示す斜視図である。
【図３】本実施例の使用状態における要部を拡大した説明斜視図である。
【図４】本実施例の使用状態における要部を拡大した説明側面図である。
【符号の説明】
１  基体
１Ａ  フレーム杆部
２  アングル固定金具
３  屋根
４  雪止アングル
５  取付部
６  融雪用配管
７  配管係止部
７Ａ  係合部
９  取付部材
【図１】
0003595794.tif 000002
【図２】
0003595794.tif 000003
【図３】
0003595794.tif 000004
【図４】
0003595794.tif 000005